【手続補正書】
【提出日】平成24年3月5日(2012.3.5)
【手続補正１】
【補正対象書類名】特許請求の範囲
【補正対象項目名】全文
【補正方法】変更
【補正の内容】
【特許請求の範囲】
【請求項１】
複数の印刷設定項目の設定値を設定するための第１ダイアログと前記第１ダイアログに対応する第２ダイアログを表示領域に表示する表示制御手段を有し、
前記第１ダイアログと前記第２ダイアログとが連動して前記表示領域上にて移動された場合、前記表示制御手段は、移動後の前記表示領域における前記第２ダイアログの表示状態に従って前記第２ダイアログを前記第１ダイアログの左隣に表示するか、右隣に表示するかを決定し、前記複数の印刷設定項目の設定値をまとめて複合印刷設定として再利用可能なように登録するための登録ボタンを表示しながら部数を受け付ける設定項目を前記表示領域に表示することを特徴とする情報処理装置。
【請求項２】
前記第２ダイアログの表示状態として、前記第１ダイアログと前記第１ダイアログの左隣に表示された前記第２ダイアログとを連動させて左方向に移動することにより前記第２ダイアログが前記表示領域から外れた場合、前記表示制御手段は、前記第２ダイアログを前記第１ダイアログの右隣に表示すると決定することを特徴とする請求項１に記載の情報処理装置。
【請求項３】
前記第２ダイアログの表示状態として、前記第１ダイアログと前記第１ダイアログの右隣に表示された前記第２ダイアログとを連動させて右方向に移動することにより前記第２ダイアログが前記表示領域から外れた場合、前記表示制御手段は、前記第２ダイアログを前記第１ダイアログの左隣に表示すると決定することを特徴とする請求項１または２に記載の情報処理装置。
【請求項４】
複数の印刷設定項目の設定値を設定するための第１ダイアログを表示領域に表示し、かつ、
前記第１ダイアログに対応する第２ダイアログを前記表示領域に表示する表示制御手段を有し、
前記表示制御手段は、前記第１ダイアログが移動されることに従って、前記第２ダイアログを前記第１ダイアログの左隣に表示するか右隣に表示するかを決定し、前記複数の印刷設定項目の設定値をまとめて複合印刷設定として再利用可能なように登録するための登録ボタンを表示しながら部数を受け付ける設定項目を前記表示領域に表示することを特徴とする情報処理装置。
【請求項５】
前記第１ダイアログが移動され、かつ、前記第２ダイアログの表示状態が前記第２ダイアログを前記第１ダイアログの左隣に表示するか右隣に表示するかを決定するための条件に一致する場合、前記表示制御手段は、前記第２ダイアログを前記第１ダイアログの左隣に表示するか右隣に表示するかを決定することを特徴とする請求項４に記載の情報処理装置。
【請求項６】
前記第２ダイアログの表示状態が前記第２ダイアログを前記第１ダイアログの左隣に表示するか右隣に表示するかを決定するための条件に一致する場合とは、前記第２ダイアログが前記表示領域から外れる状態であることを特徴とする請求項５に記載の情報処理装置。
【請求項７】
前記第１ダイアログと前記第２ダイアログとが連動して前記表示領域上にて移動され、前記第２ダイアログが前記表示領域から外れた場合、前記表示制御手段は、前記第２ダイアログを閉じた後に前記第２ダイアログを前記第１ダイアログの右隣に表示するか左隣に表示するかを決定することを特徴とする請求項１乃至６のいずれか１項に記載の情報処理装置。
【請求項８】
前記第２ダイアログは、前記第１ダイアログと独立して非表示にされることを特徴とする請求項１乃至７のいずれか１項に記載の情報処理装置。
【請求項９】
前記第１ダイアログは、前記第２ダイアログを前記第１ダイアログと独立して非表示および表示を切り替えるための指示キーを含むことを特徴とする請求項８に記載の情報処理装置。
【請求項１０】
前記表示制御手段は、前記登録ボタンと前記部数を受け付ける設定項目を表示しながら印刷の向きを受け付ける設定項目を表示することを特徴とする請求項１乃至９のいずれか１項に記載の情報処理装置。
【請求項１１】
複数の印刷設定項目の設定値を用いて印刷データの生成を行った場合に、前記複数の印刷設定項目の設定値に関する履歴情報が前記第２ダイアログに表示されることを特徴とする請求項１乃至１０のいずれか１項に記載の情報処理装置。
【請求項１２】
複数の印刷設定項目の設定値を設定するための第１ダイアログと前記第１ダイアログに対応する第２ダイアログを表示領域に表示する表示制御工程を有し、
前記第１ダイアログと前記第２ダイアログとが連動して前記表示領域上にて移動された場合、前記表示制御手段は、移動後の前記表示領域における前記第２ダイアログの表示状態に従って前記第２ダイアログを前記第１ダイアログの左隣に表示するか、右隣に表示するかを決定し、
前記複数の印刷設定項目の設定値をまとめて複合印刷設定として再利用可能なように登録するための登録ボタンを表示しながら部数を受け付ける設定項目を前記表示領域に表示することを特徴とする情報処理装置において実行可能な制御方法。
【請求項１３】
複数の印刷設定項目の設定値を設定するための第１ダイアログを表示領域に表示し、かつ、
前記第１ダイアログに対応する第２ダイアログを前記表示領域に表示する表示制御工程を有し、
前記表示制御工程は、前記第１ダイアログが移動されることに従って、前記第２ダイアログを前記第１ダイアログの左隣に表示するか右隣に表示するかを決定し、前記複数の印刷設定項目の設定値をまとめて複合印刷設定として再利用可能なように登録するための登録ボタンを表示しながら部数を受け付ける設定項目を前記表示領域に表示することを特徴とする情報処理装置において実行可能な制御方法。
【請求項１４】
コンピュータを、
複数の印刷設定項目の設定値を設定するための第１ダイアログと前記第１ダイアログに対応する第２ダイアログを表示領域に表示する表示制御手段として機能させ、
前記第１ダイアログと前記第２ダイアログとが連動して前記表示領域上にて移動された場合、前記表示制御手段は、移動後の前記表示領域における前記第２ダイアログの表示状態に従って前記第２ダイアログを前記第１ダイアログの左隣に表示するか、右隣に表示するかを決定し、前記複数の印刷設定項目の設定値をまとめて複合印刷設定として再利用可能なように登録するための登録ボタンを表示しながら部数を受け付ける設定項目を前記表示領域に表示することを特徴とする前記コンピュータにより読み取り可能なプログラム。
【請求項１５】
前記第２ダイアログの表示状態として、前記第１ダイアログと前記第１ダイアログの左隣に表示された前記第２ダイアログとを連動させて左方向に移動することにより前記第２ダイアログが前記表示領域から外れた場合、前記表示制御手段は、前記第２ダイアログを前記第１ダイアログの右隣に表示すると決定することを特徴とする請求項１４に記載のプログラム。
【請求項１６】
前記第２ダイアログの表示状態として、前記第１ダイアログと前記第１ダイアログの右隣に表示された前記第２ダイアログとを連動させて右方向に移動することにより前記第２ダイアログが前記表示領域から外れた場合、前記表示制御手段は、前記第２ダイアログを前記第１ダイアログの左隣に表示すると決定することを特徴とする請求項１４または１５に記載のプログラム。
【請求項１７】
複数の印刷設定項目の設定値を設定するための第１ダイアログを表示領域に表示し、かつ、
前記第１ダイアログに対応する第２ダイアログを前記表示領域に表示する表示制御手段を有し、
前記表示制御手段は、前記第１ダイアログが移動されることに従って、前記第２ダイアログを前記第１ダイアログの左隣に表示するか右隣に表示するかを決定し、前記複数の印刷設定項目の設定値をまとめて複合印刷設定として再利用可能なように登録するための登録ボタンを表示しながら部数を受け付ける設定項目を前記表示領域に表示することを特徴とするプログラム。
【請求項１８】
前記第１ダイアログが移動され、かつ、前記第２ダイアログの表示状態が前記第２ダイアログを前記第１ダイアログの左隣に表示するか右隣に表示するかを決定するための条件に一致する場合、前記表示制御手段は、前記第２ダイアログを前記第１ダイアログの左隣に表示するか右隣に表示するかを決定することを特徴とする請求項１７に記載のプログラム。
【請求項１９】
前記第２ダイアログの表示状態が前記第２ダイアログを前記第１ダイアログの左隣に表示するか右隣に表示するかを決定するための条件に一致する場合とは、前記第２ダイアログが前記表示領域から外れる状態であることを特徴とする請求項１８に記載のプログラム。
【請求項２０】
前記第１ダイアログと前記第２ダイアログとが連動して前記表示領域上にて移動され、前記第２ダイアログが前記表示領域から外れた場合、前記表示制御手段は、前記第２ダイアログを閉じた後に前記第２ダイアログを前記第１ダイアログの右隣に表示するか左隣に表示するかを決定することを特徴とする請求項１４乃至１９のいずれか１項に記載のプログラム。
【請求項２１】
前記第２ダイアログは、前記第１ダイアログと独立して非表示にされることを特徴とする請求項１４乃至２０のいずれか１項に記載のプログラム。
【請求項２２】
前記第１ダイアログは、前記第２ダイアログを前記第１ダイアログと独立して非表示および表示を切り替えるための指示キーを含むことを特徴とする請求項２１に記載のプログラム。
【請求項２３】
前記表示制御手段は、前記登録ボタンと前記部数を受け付ける設定項目を表示しながら印刷の向きを受け付ける設定項目を表示することを特徴とする請求項１４乃至２２のいずれか１項に記載のプログラム。
【請求項２４】
複数の印刷設定項目の設定値を用いて印刷データの生成を行った場合に、前記複数の印刷設定項目の設定値に関する履歴情報が前記第２ダイアログに表示されることを特徴とする請求項１４乃至２３のいずれか１項に記載のプログラム。
【手続補正２】
【補正対象書類名】明細書
【補正対象項目名】０００５
【補正方法】変更
【補正の内容】
【０００５】
本発明は、複数の印刷設定項目の設定値を設定するための第１ダイアログと前記第１ダイアログに対応する第２ダイアログを表示領域に表示する表示制御手段を有し、前記第１ダイアログと前記第２ダイアログとが連動して前記表示領域上にて移動された場合、前記表示制御手段は、移動後の前記表示領域における前記第２ダイアログの表示状態に従って前記第２ダイアログを前記第１ダイアログの左隣に表示するか、右隣に表示するかを決定し、前記複数の印刷設定項目の設定値をまとめて複合印刷設定として再利用可能なように登録するための登録ボタンを表示しながら部数を受け付ける設定項目を前記表示領域に表示することを特徴とする。